(57)【要約】【課題】対面した相手を自然に特定する。【解決手段】本発明に係る人物特定システム１は、撮像対象である第一の人物を撮像するとともに、撮像した第一の人物に関する情報を第二の人物に提供する人物特定システム１であって、第二の人物に装着される徽章１０と、徽章１０に設けられた、第一の人物を撮像する撮像部１１と、撮像部１１によって撮像された第一の人物の画像データである撮像データに基づき、第一の人物に関する情報を取得する照合部３１と、第一の人物に関する情報を第二の人物に提供する結果送信部３３と、を備える。【選択図】図３
2015192348.tif 000002
【特許請求の範囲】
【請求項１】
撮像対象である第一の人物を撮像するとともに、撮像した前記第一の人物に関する情報を第二の人物に提供する人物特定システムであって、
前記第二の人物に装着される徽章と、
前記徽章に設けられた、前記第一の人物を撮像する撮像手段と、
前記撮像手段によって撮像された前記第一の人物の画像データである撮像データに基づき、前記第一の人物に関する情報を取得する取得手段と、
前記第一の人物に関する情報を前記第二の人物に提供する提供手段と、を備える人物特定システム。
【請求項２】
所定の人物の画像データと該所定の人物に関する情報とが対応付けられた人物データを予め記憶する記憶手段を更に備え、
前記取得手段は、前記撮像データと前記人物データにおける前記所定の人物の画像データとを照合し、照合結果に応じた前記人物データの前記所定の人物に関する情報を、前記第一の人物に関する情報として取得する、請求項１記載の人物特定システム。
【請求項３】
前記撮像手段は、前記第一の人物の顔を撮像する、請求項１又は２記載の人物特定システム。
【請求項４】
前記取得手段は、前記第一の人物に関する情報の取得履歴に基づいて、前記第二の人物へ前記第一の人物に関する情報を提供するか否かを決定し、
前記提供手段は、前記取得手段により提供すると決定された場合に、前記第一の人物に関する情報を前記第二の人物に提供する、請求項１〜３のいずれか一項記載の人物特定システム。
【請求項５】
前記取得手段は、前記第一の人物に関する情報の取得回数に基づいて、前記第一の人物に関する情報を提供するか否かを決定する、請求項４記載の人物特定システム。
【請求項６】
前記取得手段は、前記第一の人物に関する情報の取得時期に基づいて、前記第一の人物に関する情報を提供するか否かを決定する、請求項４又は５記載の人物特定システム。
【請求項７】
前記取得手段は、前記提供手段により前記第一の人物に関する情報が提供される提供先の装置を示す情報を取得し、該提供先の装置に応じて、前記第一の人物に関する情報を取得する、請求項１〜６のいずれか一項記載の人物特定システム。
【請求項８】
前記第一の人物に装着される通知用徽章を更に備え、
前記提供手段は、前記第一の人物に関する情報を前記第二の人物に提供したことを、前記通知用徽章に通知し、
前記通知用徽章は、前記提供手段から通知があったことを前記第二の人物に通知する、請求項１〜７のいずれか一項記載の人物特定システム。
【請求項９】
撮像対象である第一の人物を撮像するとともに、撮像した前記第一の人物に関する情報を第二の人物に提供する人物特定システムが行う人物特定方法であって、
徽章に設けられた撮像手段が前記第一の人物を撮像する撮像ステップと、
前記撮像ステップにおいて撮像された前記第一の人物の画像データである撮像データに基づき、前記第一の人物に関する情報を取得する取得ステップと、
前記第一の人物に関する情報を前記第二の人物に提供する提供ステップと、を含む人物特定方法。
【発明の詳細な説明】
【技術分野】
【０００１】
本発明は、人物に関する情報を提供する人物特定システム及び人物特定方法に関する。
【背景技術】
【０００２】
画像データから人物を特定する技術として、撮像した顔の画像データと予め保存された画像データとを照合することにより個人を特定する技術（顔認識技術）が知られている。特許文献１には、銀行等に設置されるＡＴＭにおいて、モニタに面する人の顔認識を行うことにより個人を特定し、特定した個人に応じた表示を行う技術が開示されている。
【先行技術文献】
【特許文献】
【０００３】
【特許文献１】特開２０１０−１５１９５１号公報
【発明の概要】
【発明が解決しようとする課題】
【０００４】
顔認識技術は、様々な分野への応用が期待されている。例えば、過去に会ったことのある人に対面した際、対面した相手の名前が思い出せない場合がある。このような場合に、対面した相手の顔認識を行って人物を特定し、特定した人物の情報を通知することが考えられる。この場合の顔認識は、例えばカメラ搭載型のウェアラブルデバイスであるメガネ型情報端末等により行われる。ここで、メガネ型情報端末は見た目が不自然であるため使用時に目立ってしまう。そのため、使用者にとって使い勝手がよいとは言えない。
【０００５】
本発明は上記実情に鑑みてなされたものであり、対面した相手を自然に特定することができる人物特定システム及び人物特定方法を提供することを目的とする。
【課題を解決するための手段】
【０００６】
本発明に係る人物特定システムは、撮像対象である第一の人物を撮像するとともに、撮像した第一の人物に関する情報を第二の人物に提供する人物特定システムであって、第二の人物に装着される徽章と、徽章に設けられた、第一の人物を撮像する撮像手段と、撮像手段によって撮像された第一の人物の画像データである撮像データに基づき、第一の人物に関する情報を取得する取得手段と、第一の人物に関する情報を第二の人物に提供する提供手段と、を備える。
【０００７】
また、本発明に係る人物特定方法は、撮像対象である第一の人物を撮像するとともに、撮像した第一の人物に関する情報を第二の人物に提供する人物特定システムが行う人物特定方法であって、徽章に設けられた撮像手段が第一の人物を撮像する撮像ステップと、撮像ステップにおいて撮像された第一の人物の画像データである撮像データに基づき、第一の人物に関する情報を取得する取得ステップと、第一の人物に関する情報を第二の人物に提供する提供ステップと、を含む。
【０００８】
これらの発明によれば、徽章に設けられた撮像手段により撮像された第一の人物の画像データである撮像データに基づいて、第一の人物に関する情報が取得される。撮像された画像データに基づいて第一の人物に関する情報が取得されるため、対面した相手（第一の人物）の情報が思い出せない場合にも、取得された情報に基づいて、対面した相手を特定することができる。また、徽章を装着した状態は、例えばウェアラブルデバイスであるメガネ型情報端末等を装着した場合と比較して見た目が自然である。このため、撮像データの取得を自然な態様で行うことができ、その結果、対面した相手を自然に特定することができる。
【０００９】
また、所定の人物の画像データと該所定の人物に関する情報とが対応付けられた人物データを予め記憶する記憶手段を更に備え、取得手段は、撮像データと人物データにおける所定の人物の画像データとを照合し、照合結果に応じた人物データの所定の人物に関する情報を、第一の人物に関する情報として取得してもよい。撮像データと、予め記憶した人物データにおける所定の人物の画像データとを照合することによって第一の人物に関する情報を取得することにより、第一の人物に関する情報を簡易且つ確実に取得することができる。
【００１０】
また、撮像手段は、第一の人物の顔を撮像してもよい。撮像手段が第一の人物の顔を撮像することにより、顔認識技術を利用して第一の人物に関する情報を確実に取得することができる。
【００１１】
また、取得手段は、第一の人物に関する情報の取得履歴に基づいて、第二の人物へ第一の人物に関する情報を提供するか否かを決定し、提供手段は、取得手段により提供すると決定された場合に、第一の人物に関する情報を第二の人物に提供してもよい。第一の人物に関する情報の取得履歴に基づいて第一の人物に関する情報を提供するか否かが決定されることにより、第一の人物に関する情報の過去の取得状況を考慮して、情報提供の有無を決定することができる。
【００１２】
また、取得手段は、第一の人物に関する情報の取得回数に基づいて、第一の人物に関する情報を提供するか否かを決定してもよい。これにより、第一の人物に関する情報の過去の取得回数を考慮して、情報提供の有無が決定される。このため、例えば、過去に何度も第一の人物に関する情報を取得し、第二の人物への情報提供が何度も行われていると推定される場合には、第二の人物への第一の人物に関する情報の提供を不要と判断すること等が可能となる。このことで、第二の人物へ不要な情報が提供されることを回避できる。
【００１３】
また、取得手段は、第一の人物に関する情報の取得時期に基づいて、第一の人物に関する情報を提供するか否かを決定してもよい。これにより、第一の人物に関する情報の過去の取得時期を考慮して、情報提供の有無が決定される。このため、例えば、直近の所定の期間に第一の人物に関する情報を取得しておらず、直近の所定の期間において第二の人物への情報提供が行われていないと推定される場合を除いて、第二の人物への第一の人物に関する情報の提供を不要と判断すること等が可能となる。このことで、第二の人物へ不要な情報が提供されることを回避できる。
【００１４】
また、取得手段は、提供手段により第一の人物に関する情報が提供される提供先の装置を示す情報を取得し、該提供先の装置に応じて、第一の人物に関する情報を取得してもよい。これにより、例えば提供先の装置のディスプレイサイズに応じて第一の人物に関する情報を取得することができ、第一の人物に関する情報の提供を受ける人物（第二の人物）にとって分かり易い情報提供が可能となる。
【００１５】
また、第一の人物に装着される通知用徽章を更に備え、提供手段は、第一の人物に関する情報を第二の人物に提供したことを、通知用徽章に通知し、通知用徽章は、提供手段から通知があったことを第二の人物に通知してもよい。第一の人物に装着された通知用徽章が、提供手段から通知があったことを第二の人物に通知することにより、第二の人物は通知用徽章を通じて提供があったことを確認することができる。これにより、第二の人物は、通知用徽章から提供があったことを確認した場合に、提供された第一の人物に関する情報を確認すればよく、より簡易に第一の人物に関する情報を確認することができる。
【発明の効果】
【００１６】
本発明によれば、対面した相手を自然に特定することができる人物特定システム及び人物特定方法を提供することができる。
【図面の簡単な説明】
【００１７】
【図１】本発明の第１実施形態に係る人物特定システムのシステム構成を説明するための図である。
【図２】図１に示す徽章のハードウェア構成を示すブロック図である。
【図３】図１に示す携帯端末のハードウェア構成を示すブロック図である。
【図４】図１に示すサーバのハードウェア構成を示すブロック図である。
【図５】図１に示す人物特定システムの機能構成を示すブロック図である。
【図６】図１に示す人物特定システムの動作を示すフローチャートである。
【図７】本発明の第２実施形態に係る人物特定システムのシステム構成を説明するための図である。
【図８】図７に示す人物特定システムの機能構成を示すブロック図である。
【図９】図７に示す人物特定システムの動作を示すフローチャートである。
【発明を実施するための形態】
【００１８】
以下、添付図面を参照して、本発明の好適な実施形態について詳細に説明する。なお、図面の説明においては同一要素には同一符号を付し、重複する説明を省略する。
【００１９】
[第１実施形態]
図１は、本発明の第１実施形態に係る人物特定システム１のシステム構成を説明するための図である。人物特定システム１は、撮像対象である人物Ａ（第一の人物）を撮像するとともに、撮像した人物Ａに関する情報を人物Ｂ（第二の人物）に提供するシステムである。人物特定システム１は、人物Ｂに対して人物Ａの情報を提供することにより、例えば、過去に会ったことがある人物（人物Ａ）に対面した人物（人物Ｂ）が、人物Ａの情報（例えば名前）を思い出すことができない場合にも、提供された情報に基づき人物Ａを特定することを可能にするものである。これにより、例えば過去に会ったことがある人物に、再度名前等を聞くことの失礼さを回避できる。撮像対象とは、後述する撮像部１１による撮像の対象である。人物Ａに関する情報とは、人物Ａを特定する情報であれば特に限定されず、例えば人物Ａの名前である。また、人物特定システム１は例えば同じ会社内や同じ学校内、特定の地域コミュニティ等、所定のコミュニティに属する人物間で利用されるものであるところ、例えば人物特定システム１が同じ会社内で利用される場合には、人物Ａを特定する情報として、人物Ａの所属部署や役職、電話番号、メールアドレス等が用いられてもよい。
【００２０】
人物特定システム１は、徽章１０と、携帯端末２０と、サーバ３０と、表示デバイス５０とを備えて構成されている。徽章１０、携帯端末２０、及び表示デバイス５０は、例えば人物Ｂが携帯する人物Ｂの所有物であり、サーバ３０は、例えば事業者が運営するサーバである。徽章１０は人物Ｂに装着されるバッジであり、例えば人物Ｂの洋服の襟に装着される襟章である。徽章１０は、人物Ｂの正面側に装着されるものであれば襟章に限定されず、例えば洋服の胸に装着される胸章や、帽子に装着される帽章等であってもよい。徽章１０は、例えば社章や学章である。徽章１０には、人物Ａの顔を撮像するカメラ１０ｘが設けられている。カメラ１０ｘは、人物Ｂの正面と対向する方向にレンズが向けられた状態で徽章１０に設けられている。カメラ１０ｘは、ＣＣＤ(Charge Coupled Device)やＣＭＯＳ(ComplementaryMetal Oxide Semiconductor)イメージセンサ等の光電変換素子を有しており、例えば携帯電話等に設けられているカメラの撮像機能を有するものである。カメラ１０ｘは、顔認証機能付きカメラである。カメラ１０ｘは、レンズが向けられた所定領域の画像を撮像する。徽章１０は、近距離無線通信により携帯端末２０と通信を行う。なお、本実施形態において近距離無線通信の種類は特に限定されず、ＮＦＣ（Near Field Communication）やブルートゥース（Bluetooth（登録商標））等の周知の技術を用いることができる。徽章１０は、カメラ１０ｘが撮像した人物Ａの顔の画像データを携帯端末２０に送信する。
【００２１】
携帯端末２０は、例えばスマートフォン等の移動通信端末であり、移動体通信網や無線ＬＡＮ、インターネット等の通信網を利用してサーバ３０と通信を行う端末である。また、携帯端末２０は、近距離無線通信により徽章１０及び表示デバイス５０と通信を行う。携帯端末２０は、徽章１０より受信した人物Ａの顔の画像データをサーバ３０に送信する。また、携帯端末２０は、サーバ３０より受信した人物Ａに関する情報を表示デバイス５０に送信する。サーバ３０は、人物Ａの顔の画像データに基づき人物Ａに関する情報を取得する。サーバ３０は、取得した人物Ａに関する情報を携帯端末２０に送信する。表示デバイス５０は、人物Ｂが所有する、表示画面（ディスプレイ）を有したデバイスである。表示デバイス５０は、ディスプレイを有し、携帯端末２０と通信が可能なデバイスであれば特に限定されず、例えば、腕時計型のウェアラブル端末である腕時計型端末５１、又はペン型の携帯端末であるペン型端末５２である。表示デバイス５０は、近距離無線通信機能により携帯端末２０から受信した人物Ａに関する情報を、ディスプレイに表示する。以下、第１実施形態に係る人物特定システム１の各構成について、図２〜図５も参照しながら詳細に説明する。
【００２２】
図２は、図１に示す徽章１０のハードウェア構成を示すブロック図である。徽章１０は、図２に示すように、ＣＰＵ１０１、主記憶装置であるＲＡＭ１０２及びＲＯＭ１０３、近距離無線通信を行うための近距離通信モジュール１０４ａ、並びにカメラ１０ｘを有するコンピュータを含むものとして構成される。これらの構成要素がプログラム等により動作することにより、徽章１０の各機能が発揮される。なお、カメラ１０ｘの制御処理はＣＰＵ１０１により行われる。
【００２３】
図３は、図１に示す携帯端末２０のハードウェア構成を示すブロック図である。携帯端末２０は、図３に示すように、ＣＰＵ１０１、主記憶装置であるＲＡＭ１０２及びＲＯＭ１０３、近距離無線通信を行うための近距離通信モジュール１０４ａ、移動体通信を行うための移動体通信モジュール１０４ｂ、並びに各種情報を表示するディスプレイ１０７を有するコンピュータを含むものとして構成される。これらの構成要素がプログラム等により動作することにより、携帯端末２０の各機能が発揮される。
【００２４】
図４は、図１に示すサーバ３０のハードウェア構成を示すブロック図である。サーバ３０は、図４に示すように、ＣＰＵ１０１、主記憶装置であるＲＡＭ１０２及びＲＯＭ１０３、通信を行うための通信モジュール１０４、並びにハードディスク等の補助記憶装置１０５等のハードウェアを有するコンピュータを含むものとして構成される。これらの構成要素がプログラム等により動作することにより、サーバ３０の各機能が発揮される。
【００２５】
図５は、図１に示す人物特定システム１の機能構成を示すブロック図である。図５に示すように、人物特定システム１は、撮像部（撮像手段）１１、情報取得部（取得手段）２１、出力部（提供手段）２２、照合部（取得手段）３１、記憶部（記憶手段）３２、及び結果送信部（提供手段）３３を備えている。撮像部１１は徽章１０の機能であり、情報取得部２１及び出力部２２は携帯端末２０の機能であり、照合部３１、記憶部３２及び結果送信部３３はサーバ３０の機能である。以下、各機能について説明する。
【００２６】
撮像部１１は、カメラ１０ｘを制御することにより人物Ａの顔を撮像する。撮像部１１は、撮像処理及び顔検出処理を行うことにより、人物Ａの顔を撮像し、人物Ａの顔の画像データを取得する。撮像処理とは、撮像領域により切り出される画像データを撮像する処理である。撮像領域とは、例えばカメラ１０ｘが向けられた方向を中心とする予め定められた所定の領域である。顔検出処理とは、撮像処理により撮像された画像データから人物の顔を検出する処理である。顔検出処理は、従来から周知技術となっている顔検出技術により行われる。例えば、顔検出処理は、撮像処理により撮像された画像データ全体に、所定の大きさの探索窓（顔検出処理を行う判定領域）を動かし、探索窓が通過する座標ごとに、探索窓内に顔があるか否かを判定することによって行われる。顔があるか否かの判定は、例えば、予め用意した顔画像のテンプレートと探索窓内の画像データとの類似度を比較するテンプレートマッチングにより行われてもよいし、機械学習アルゴリズムにより事前に作成された識別器（顔であるかどうかを判定するための識別器）を用いる手法により行われてもよい。撮像部１１は、顔検出処理によって、撮像処理にて撮像された画像データ中に顔があると判定した場合には、撮像された画像データを携帯端末２０へ送信する。なお、当該画像データには、顔検出処理において顔があると判断された範囲（例えば、画像中において顔があると判断された探索窓の座標等）を示す情報が付加されている。すなわち、撮像部１１は、人物Ａの顔を撮像すると、人物Ａの顔の範囲を示す情報が付加された画像データを例えば近距離無線通信によって携帯端末２０へ送信する。送信先の携帯端末２０は、予め徽章１０とペアリングされた携帯端末である。以下では、撮像部１１によって撮像された人物Ａの顔を撮像した画像データ（人物Ａの顔の範囲を示す情報が付加された画像データ）を撮像データとして説明する場合がある。
【００２７】
情報取得部２１は、例えば近距離無線通信によって徽章１０から撮像データを取得（受信）するとともに、表示デバイス５０から表示デバイス５０を示す情報を取得（受信）する、携帯端末２０の機能である。表示デバイス５０は、人物Ａに関する情報が提供される提供先の装置である。表示デバイス５０を示す情報とは、例えば表示デバイス５０の種類を示す情報、又は、表示デバイス５０のディスプレイサイズを示す情報である。表示デバイス５０の種類を示す情報とは、例えば、腕時計型端末５１又はペン型端末５２等の具体的なデバイス種別を示す情報である。表示デバイス５０のディスプレイサイズを示す情報とは、表示デバイス５０において文字等を表示する具体的な範囲を示す情報である。情報取得部２１は、電源投入時等、携帯端末２０の近距離無線通信機能の利用が開始された際に、近距離無線通信が可能な表示デバイス５０に対して表示デバイス５０を示す情報の取得要求を送信する。表示デバイス５０は、該取得要求に応じて表示デバイス５０を示す情報を携帯端末２０に送信する。なお、情報取得部２１は、上述した表示デバイス５０への取得要求を予め定められた時間間隔で定期的に行ってもよい。情報取得部２１は、取得した撮像データ、及び表示デバイス５０を示す情報を例えば移動体通信によってサーバ３０に送信する。
【００２８】
出力部２２は、サーバ３０から例えば移動体通信によって送信される人物Ａに関する情報を受信し表示デバイス５０に送信する、携帯端末２０の機能である。具体的には、出力部２２は、表示デバイス５０において人物Ａに関する情報が表示されるよう、表示するための情報を例えば近距離無線通信によって表示デバイス５０に送信する。サーバ３０から送信される人物Ａに関する情報とは、情報取得部２１が取得した撮像データ及び表示デバイス５０を示す情報に基づいて、サーバ３０で取得された人物Ａに関する情報である。
【００２９】
照合部３１は、携帯端末２０から例えば移動体通信によって送信された撮像データを受信し、該撮像データに基づき、人物Ａに関する情報を取得する、サーバ３０の機能である。照合部３１は、撮像データと、記憶部３２に記憶された人物データとを照合（記憶部３２に記憶された人物データに、撮像データと一致するデータがないかを検索）することにより、人物Ａに関する情報を取得する。ここで、記憶部３２は、人物データを予め記憶する記憶手段である。人物データとは、所定の人物の画像データと該所定の人物に関する情報とが対応づけられたデータである。上述したように、人物特定システム１は、同じ会社内等の所定のコミュニティに属する人物間で利用されるものである。例えば人物特定システム１が同じ会社の人物間で利用されるものである場合には、記憶部３２に記憶された人物データは同じ会社に属する人物のデータである。この場合には、人物データは、同じ会社内の所定の人物の画像データと該所定の人物に関する情報とが対応付けられている。人物の画像データとは、少なくとも該人物の顔が含まれた画像データであり、画像データにおいては該人物の顔の範囲を示す情報が付加されている。人物に関する情報とは、該人物を特定する情報であり、例えば人物特定システム１が同じ会社内で利用される場合には、該人物の名前、所属部署、役職、電話番号、及びメールアドレス等の個人情報であるである。
【００３０】
より詳細には、照合部３１は、撮像データと、記憶部３２に記憶された人物データにおける所定の人物の画像データとを照合し（照合処理）、照合結果に応じた人物データの所定の人物に関する情報を、人物Ａに関する情報として取得する（取得処理）。また、照合部３１は、人物Ａに関する情報の取得履歴に基づいて、人物Ｂへ人物Ａに関する情報を提供するか否かを決定する（決定処理）。以下、照合部３１による、照合処理、取得処理、及び決定処理について説明する。
【００３１】
照合処理では、照合部３１は、撮像データと、記憶部３２に記憶された複数の人物データにおける画像データとを照合する。照合部３１は、撮像データ中の人物Ａの顔の範囲を示す情報、及び、人物データにおける画像データ中の人物の顔の範囲を示す情報に基づいて、撮像データ中の人物Ａの顔と、人物データにおける画像データ中の所定の人物の顔との照合を行う。照合処理は、従来から周知技術となっている顔認識技術により行われる。例えば、照合処理は、撮像データ中の人物Ａの顔の目立つ特徴、及び、人物データにおける画像データ中の人物の顔の目立つ特徴をそれぞれ抽出して、直接幾何学的に比較することにより行う。また、照合処理は、撮像データ中の人物Ａの顔の特徴を統計的に数値化して、その数値を、テンプレート（人物データにおける画像データ中の人物の顔を数値化したもの）と比較することにより行われてもよい。顔の特徴とは、例えば顔のパーツ（目、鼻、頬骨、あご等）の相対位置や大きさ、及び、顔のパーツの形である。照合部３１は、照合処理によって、人物データにおける画像データに、人物Ａの顔と一致する顔を含んだ画像データがあると判断した場合には、該一致する画像データに関する人物データを、照合結果とする。一方、人物Ａの顔と一致する顔を含んだ画像データがないと判断した場合には、照合部３１は、その後の処理を行わずに処理を終了する。なお、照合部３１は、一致する画像データがない旨を、携帯端末２０を介して表示デバイス５０に送信してもよい。この場合には、表示デバイス５０が、人物Ａに関する情報を取得できなかった旨を表示するものであってもよい。
【００３２】
取得処理では、照合部３１は、照合結果に応じた人物データの人物に関する情報、すなわち、照合結果に示された人物データの人物の名前等を、人物Ａに関する情報として取得する。具体的には、照合部３１は、記憶部３２を参照することにより、照合結果に示された人物データの人物の名前等を取得する。また、照合部３１は、携帯端末２０から送信された、表示デバイス５０を示す情報に応じて、人物Ａに関する情報を取得する。
【００３３】
例えば、人物特定システム１が同じ会社の人物間で利用されるものであり、記憶部３２には、人物データの人物に関する情報として、人物の名前、所属部署、及び役職が記憶されているとする。この場合に、記憶部３２は、表示デバイス５０の種類を示す情報と、照合部３１が取得する人物Ａに関する情報とを対応付けて記憶している。例えば、記憶部３２は、表示デバイス５０の種類を示す情報：「ペン型端末５２」と、人物Ａに関する情報：「人物の名前」とを対応付けて記憶する。また、表示デバイス５０の種類を示す情報：「腕時計型端末５１」と、人物Ａに関する情報：「人物の名前・所属部署・役職」とを対応付けて記憶する。これにより、照合部３１は、記憶部３２を参照することにより、表示デバイス５０を示す情報に応じて、人物Ａに関する情報を取得することができる。すなわち、照合部３１は、表示デバイス５０がペン型端末５２である場合には人物Ａに関する情報として人物の名前を取得し、表示デバイス５０が腕時計型端末５１である場合には人物Ａに関する情報として人物の名前、所属部署、及び役職を取得する。なお、記憶部３２は、表示デバイス５０のディスプレイサイズと、照合部３１が取得する人物Ａに関する情報とを対応付けて記憶していてもよい。この場合には、表示デバイス５０を示す情報が表示デバイス５０のディスプレイサイズであっても、照合部３１は、表示デバイス５０を示す情報に応じて、人物Ａに関する情報を取得することができる。
【００３４】
照合部３１は、人物Ａに関する情報を記憶部３２から取得した場合には、取得したことを示す取得履歴（記憶部３２に対する検索履歴）を記憶部３２に保存する。取得履歴には、少なくとも取得した日時を示す情報が含まれている。取得履歴は、取得した情報が示す人物（この例では人物Ａ）、及び、情報取得の主体である人物（この例では人物Ｂ）の携帯端末２０（人物Ａに関する情報を提供する先の携帯端末２０）毎に記憶部３２に保存される。情報取得の主体とは、人物データを検索する検索者である。なお、照合部３１は、後述する決定処理により提供すると決定された場合の人物Ａに関する情報の取得履歴のみを、記憶部３２に保存することとしてもよい。
【００３５】
決定処理では、照合部３１は、記憶部３２に保存された人物Ａに関する情報の取得履歴に基づいて、人物Ｂへ人物Ａに関する情報を提供するか否かを決定する。例えば、照合部３１は、取得履歴から導出される人物Ａに関する情報の取得回数に基づいて、人物Ａに関する情報を提供するか否かを決定する。取得回数は、取得した情報が示す人物（この例では人物Ａ）及び情報取得の主体である人物（この例では人物Ｂ）の組み合わせが同じである取得履歴の数を合算することにより導出される。照合部３１は、取得回数が予め設定された回数（例えば１０回等）を下回っている場合に限り、人物Ｂへ人物Ａに関する情報を提供してもよい。また、例えば、照合部３１は、取得履歴から導出される人物Ａに関する情報の取得時期に基づいて、人物Ａに関する情報を提供するか否かを決定する。照合部３１は、最新の取得履歴が示す日時（最後に取得した日時）が、予め設定された期間（例えば３か月等）よりも過去である場合に限り、人物Ｂへ人物Ａに関する情報を提供してもよい。なお、照合部３１は、取得回数と取得時期とを組み合わせた判断により、人物Ａに関する情報を提供するか否かを決定してもよい。例えば、取得回数が予め設定された回数（例えば１０回等）よりも多く、最新の取得時期が予め設定された期間（例えば３か月等）よりも過去でない場合に、取得回数及び取得時期個々の判断において人物Ａに関する情報が提供されないと判断されたとする。このような場合においても、例えば、予め設定された期間（例えば３か月等）における取得回数が、予め設定された回数（例えば２回等）よりも少ない場合には、取得回数及び取得時期を組み合わせた判断に基づいて、人物Ａに関する情報を提供することとしてもよい。照合部３１は、決定処理において人物Ｂへ人物Ａに関する情報を提供すると決定した場合には、人物Ａに関する情報を結果送信部３３に出力する。一方、照合部３１は、人物Ａに関する情報を提供しないと決定した場合には、処理を終了する。
【００３６】
結果送信部３３は、人物Ａに関する情報を人物Ｂに提供する、サーバ３０の機能である。結果送信部３３は、照合部３１により人物Ａに関する情報を人物Ｂに提供すると決定された場合に、照合部３１から入力された人物Ａに関する情報を、人物Ｂに提供する。具体的には、結果送信部３３は、人物Ａに関する情報を例えば移動体通信によって携帯端末２０に送信する。当該人物Ａに関する情報は、携帯端末２０の出力部２２により表示デバイス５０に送信され、表示デバイス５０にて表示される。例えば人物Ａに関する情報が人物Ａの名前（山田太郎）である場合には、表示デバイス５０には、「対面している人は、山田太郎さんです」というメッセージが表示される。また、人物Ａに関する情報が人物Ａの名前（山田太郎）、人物Ａの所属部署（企画部）、及び人物Ａの役職（課長）である場合には、表示デバイス５０には、「対面している人は、企画部の山田太郎課長です」というメッセージが表示される。
【００３７】
次に、人物特定システム１の動作について、図６を参照しながら説明する。図６は、図１に示す人物特定システム１の動作を示すフローチャートである。
【００３８】
まず、携帯端末２０の近距離無線通信機能の利用が開始されたタイミング（例えば、携帯端末２０の電源投入時等であって、携帯端末２０が表示デバイス５０に近距離無線通信を用いて接続されたタイミング）において、携帯端末２０の情報取得部２１により、表示デバイス５０を示す情報、具体的には表示デバイス５０のディスプレイサイズ等が取得される（Ｓ１１）。そして、徽章１０の撮像部１１により、人物Ａの顔が撮像される（Ｓ１２、撮像ステップ）。撮像部１１が撮像した撮像データ（人物Ａの顔の画像データ及び人物Ａの顔の範囲を示す情報）は、撮像部１１により携帯端末２０に送信される（Ｓ１３）。
【００３９】
つづいて、携帯端末２０の情報取得部２１により、Ｓ１３で取得された撮像データ及びＳ１１で取得された表示デバイス５０を示す情報がサーバ３０に送信される（ステップＳ１４）。つづいて、サーバ３０の照合部３１により、撮像データと記憶部３２に記憶された人物データにおける所定の人物の画像データとが照合される（Ｓ１５、取得ステップ）。そして、照合部３１により、人物データにおける画像データに、人物Ａの顔と一致する顔を含んだ画像データがあるか否かが判定される（Ｓ１６、取得ステップ）。Ｓ１６において一致する画像データがないと判定された場合には、サーバ３０は処理を終了する。一方で、Ｓ１６において一致する画像データがあると判定された場合には、照合部３１により、一致する画像データに関する人物データの人物に関する情報が取得される（Ｓ１７、取得ステップ）。人物に関する情報を取得する際、照合部３１は、携帯端末２０から送信された表示デバイス５０の種類、又はディスプレイサイズ等に応じて、人物Ａに関する情報を取得する。そして、照合部３１により、人物Ａに関する情報を記憶部３２から取得したことを示す取得履歴が、記憶部３２に保存される（Ｓ１８、取得ステップ）。
【００４０】
つづいて、照合部３１により、取得履歴が所定の条件を満たしているか否かが判定される（Ｓ１９、取得ステップ）。Ｓ１９において取得履歴が所定の条件を満たしていないと判定された場合には、サーバ３０は処理を終了する。一方で、Ｓ１９において取得履歴が所定の条件を満たしていると判定された場合には、照合部３１により人物Ａに関する情報が結果送信部３３に出力され、結果送信部３３により人物Ａに関する情報が携帯端末２０へ送信される（Ｓ２０、提供ステップ）。そして、携帯端末２０の出力部２２により人物Ａに関する情報が表示デバイス５０に送信され、表示デバイス５０により人物Ａに関する情報が表示されることにより、人物Ａに関する情報が人物Ｂに提供される（Ｓ２１、提供ステップ）。
【００４１】
次に、本実施形態の作用効果について説明する。
【００４２】
本実施形態に係る人物特定システム１によれば、徽章１０に設けられた撮像部１１により撮像された人物Ａの画像データである撮像データに基づいて、人物Ａに関する情報が取得される。撮像された画像データに基づいて人物Ａに関する情報が取得されるため、対面した相手（人物Ａ）の情報が思い出せない場合にも、取得された情報に基づいて、対面した相手（人物Ａ）を特定することができる。また、徽章１０を装着した状態は、例えばウェアラブルデバイスであるメガネ型情報端末等を装着した場合と比較して見た目が自然である。このため、撮像データの取得を自然な態様で行うことができ、その結果、対面した相手（人物Ａ）を自然に特定することができる。
【００４３】
また、所定の人物の画像データと該所定の人物に関する情報とが対応付けられた人物データを予め記憶する記憶部３２を備え、照合部３１が、撮像データと人物データにおける所定の人物の画像データとを照合し、照合結果に応じた人物データの所定の人物に関する情報を、人物Ａに関する情報として取得することにより、人物Ａに関する情報を簡易且つ確実に取得することができる。
【００４４】
また、撮像部１１が、人物Ａの顔を撮像することにより、顔認識技術を利用して人物Ａに関する情報を確実に取得することができる。
【００４５】
また、照合部３１が、人物Ａに関する情報の取得履歴に基づいて、人物Ｂへ人物Ａに関する情報を提供するか否かを決定し、結果送信部３３が、照合部３１により提供すると決定された場合に、人物Ａに関する情報を人物Ｂに提供することにより、人物Ａに関する情報の過去の取得状況を考慮して、人物Ｂへの情報提供の有無を決定することができる。
【００４６】
また、照合部３１が、人物Ａに関する情報の取得回数に基づいて、人物Ａに関する情報を提供するか否かを決定してもよい。これにより、人物Ａに関する情報の過去の取得回数を考慮して、情報提供の有無が決定される。このため、例えば、過去に何度も人物Ａに関する情報を取得し、人物Ｂへの情報提供が何度も行われていると推定される場合には、人物Ｂへの人物Ａに関する情報の提供を不要と判断すること等が可能となる。このことで、人物Ｂへ不要な情報が提供されることを回避できる。
【００４７】
また、照合部３１が、人物Ａに関する情報の取得時期に基づいて、人物Ａに関する情報を提供するか否かを決定してもよい。これにより、人物Ａに関する情報の過去の取得時期を考慮して、情報提供の有無が決定される。このため、例えば、直近の所定の期間に人物Ａに関する情報を取得しておらず、直近の所定の期間において人物Ｂへの情報提供が行われていないと推定される場合を除いて、人物Ｂへの人物Ａに関する情報の提供を不要と判断すること等が可能となる。このことで、人物Ｂへ不要な情報が提供されることを回避できる。
【００４８】
また、情報取得部２１が、表示デバイス５０を示す情報（例えば表示デバイス５０の種類を示す情報）を取得し、照合部３１が、表示デバイス５０を示す情報に応じて、人物Ａに関する情報を取得してもよい。これにより、例えば表示デバイス５０のディスプレイサイズに応じて人物Ａに関する情報を取得することができ、人物Ａに関する情報の提供を受ける人物（人物Ｂ）にとって分かり易い情報提供が可能となる。すなわち、デバイスの種類（ディスプレイサイズの違い等）によって提供する情報のカスタマイズが可能であるため、人物Ｂは、見やすく必要最小限の情報を手元（表示デバイス５０）で確認することができる。
【００４９】
[第２実施形態]
次に、図７〜図９を参照して、本発明の第２実施形態について説明する。なお、本実施形態の説明では、上記第１実施形態と異なる点について主に説明する。
【００５０】
図７は、本発明の第２実施形態に係る人物特定システム１Ａのシステム構成を説明するための図である。人物特定システム１Ａは、第１実施形態に係る人物特定システム１と同様に、撮像対象である人物Ａを撮像するとともに、撮像した人物Ａに関する情報を人物Ｂに提供するシステムである。図７に示されるように、人物特定システム１Ａは、人物Ａに装着された徽章１０Ａと、人物Ａが携帯する携帯端末２０Ａと、サーバ３０Ａと、人物Ｂに装着された徽章１０Ｂと、人物Ｂが携帯する携帯端末２０Ｂと、表示デバイス５０とを備えて構成されている。
【００５１】
人物Ａに装着された徽章１０Ａは、人物Ｂに所定の通知を行う通知用徽章である。所定の通知とは、人物Ｂの表示デバイス５０に対して人物Ａに関する情報が提供されたことの通知である（詳細は後述）。人物Ａに装着された徽章１０Ａ及び人物Ｂに装着された徽章１０Ｂは同様の機能を有しており、人物Ａが携帯する携帯端末２０Ａ及び人物Ｂが携帯する携帯端末２０Ｂは同様の機能を有している。表示デバイス５０の機能は上述した第１実施形態に係る人物特定システム１の表示デバイス５０と同様である。徽章１０Ａ，１０Ｂは、カメラ１０ｘに加えて発光部品１０ｙを有している。発光部品１０ｙは、後述する通知部１２からの発光命令に応じて発光するライトである。発光部品１０ｙは、通知部１２からの明滅命令に応じて明滅を行う。明滅とは、点灯及び消灯を繰り返すことをいう。発光部品１０ｙとしては、例えば、順方向に電圧を加えた際に発光する発光ダイオード（ＬＥＤ：Light Emitting Diode）等が用いられるが、明滅を繰り返すことが可能な発光部品であれば特に限定されない。以下、第２実施形態に係る人物特定システム１Ａの各構成について、図８も参照しながら詳細に説明する。
【００５２】
図８は、図７に示す人物特定システム１Ａの機能構成を示すブロック図である。図８に示すように、人物特定システム１Ａは、撮像部（撮像手段）１１、通知部１２、情報取得部（取得手段）２１、出力部（提供手段）２２ｘ、照合部（取得手段）３１、記憶部（記憶手段）３２、及び結果送信部（提供手段）３３ａを備えている。撮像部１１及び通知部１２は徽章１０Ａ，１０Ｂの機能であり、情報取得部２１及び出力部２２ｘは携帯端末２０Ａ，２０Ｂの機能であり、照合部３１、記憶部３２及び結果送信部３３ａはサーバ３０Ａの機能である。
【００５３】
結果送信部３３ａは、第１実施形態に係る人物特定システム１の結果送信部３３同様、人物Ａに関する情報を例えば移動体通信によって携帯端末２０Ｂに送信することにより、人物Ａに関する情報を人物Ｂに提供する。さらに、結果送信部３３ａは、人物Ａに関する情報を人物Ｂに提供したこと（提供した旨）を、人物Ａの徽章１０Ａに通知する。具体的には、結果送信部３３ａは、提供した旨を移動体通信によって携帯端末２０Ａに送信することにより、携帯端末２０Ａを介して、徽章１０Ａに提供した旨を通知する。なお、サーバ３０Ａには、人物Ａと、携帯端末２０Ａ及び徽章１０Ａ（すなわち、提供した旨の通知先）とを対応付けた情報が予め記憶されている。
【００５４】
出力部２２ｘは、例えば移動体通信によってサーバ３０Ａから送信される、人物Ａに関する情報を人物Ｂに提供したこと（提供した旨）を受信し、例えば近距離無線通信によって、該提供した旨を徽章１０Ａに通知する。この場合、通知される徽章１０Ａは、予め携帯端末２０Ａとペアリングされた徽章である。
【００５５】
徽章１０Ａの通知部１２は、出力部２２ｘを介して結果送信部３３ａから通知があったことを、人物Ｂに通知する。具体的には、通知部１２は、結果送信部３３ａから通知があった場合に、発光部品１０ｙに発光命令を出す。本実施形態では、通知部１２は発光部品１０ｙに対して明滅命令（明滅指示）を出す。発光部品１０ｙは、通知部１２の明滅命令に応じて、明滅を繰り返す。なお、発光部品１０ｙの明滅は、明滅していることを人物Ｂが視認可能なように行われる。すなわち、明滅における点灯時の明るさは、点灯していることを人物Ｂが視認可能な程度の明るさとされる。また、明滅の間隔は、明滅していることを人物Ｂが視認可能な程度の間隔（例えば、０．２秒〜１秒等）とされる。
【００５６】
次に、人物特定システム１Ａの動作について、図９を参照しながら説明する。図９は、図７に示す人物特定システム１Ａの動作を示すフローチャートである。なお、デバイス情報の取得（Ｓ３１）から、取得履歴が所定の条件を満たしているか否かの判定（Ｓ３９）までの処理は、第１実施形態のＳ１１〜Ｓ１９の処理と同様であるため説明を省略する。
【００５７】
Ｓ３９において取得履歴が所定の条件を満たしていると判定された場合には、結果送信部３３ａにより人物Ａに関する情報が携帯端末２０Ｂへ送信される（Ｓ４０、提供ステップ）。そして、携帯端末２０Ｂの出力部２２ｘにより人物Ａに関する情報が表示デバイス５０に送信され、表示デバイス５０により人物Ａに関する情報が表示されることにより、人物Ａに関する情報が人物Ｂに提供される（Ｓ４１、提供ステップ）。
【００５８】
また、結果送信部３３ａにより人物Ａに関する情報が携帯端末２０Ｂへ送信されるとともに、結果送信部３３ａにより、人物Ａに関する情報を人物Ｂに提供したこと（提供した旨）が、携帯端末２０Ａを介して、人物Ａの徽章１０Ａに通知される（Ｓ４２）。そして、徽章１０Ａの通知部１２により、発光部品１０ｙに対して明滅命令が出される（Ｓ４３）。当該明滅命令に応じて、発光部品１０ｙが明滅する（Ｓ４４）。当該発光部品１０ｙの明滅により、人物Ｂは、人物Ａに関する情報の提供があったことを確認する。
【００５９】
次に、本実施形態の作用効果について説明する。
【００６０】
本実施形態に係る人物特定システム１Ａでは、人物Ａに装着される通知用徽章（徽章１０Ａ）が備わっており、結果送信部３３ａが、人物Ａに関する情報を人物Ｂに提供したことを、携帯端末２０Ａを介して徽章１０Ａに通知する。そして、徽章１０Ａの通知部１２が、発光部品１０ｙを明滅させることにより、人物Ａに関する情報が提供された旨を人物Ｂに通知する。これにより、人物Ｂは徽章１０Ａを通じて、人物Ａに関する情報の提供があったことを確認することができる。人物Ｂは、徽章１０Ａから提供があったことを確認した場合にのみ、提供された人物Ａに関する情報を確認すればよく、表示デバイス５０を何度も確認することなく、簡易に人物Ａに関する情報を確認することができる。
【００６１】
このように、第１実施形態に係る人物特定システム１で説明した、顔検出（顔認証）技術、画像を照合することにより人物Ａに関する情報（表示する情報）を選別する技術、表示デバイス５０に応じた人物Ａに関する情報を提供する（情報配信する）技術に加えて、相手方徽章（人物Ａの徽章１０Ａ）の明滅による情報取得のサインを利用することによって、より利便性が向上する。
【００６２】
以上、本発明の好適な実施形態について説明したが、本発明は上記実施形態に限定されない。
【００６３】
上述した実施形態では、照合部３１が、人物Ａに関する情報の取得履歴に基づいて、人物Ｂへ人物Ａに関する情報を提供するか否かを決定するとして説明したがこれに限定されず、例えば、取得履歴を考慮することなく、照合処理の結果人物Ａの顔を一致する顔を含んだ画像データに係る人物データを、人物Ａに関する情報としてもよい。
【００６４】
また、照合部３１が、表示デバイス５０を示す情報（表示デバイス５０の種類又は表示デバイス５０のディスプレイサイズ）に応じて人物Ａに関する情報を取得するとして説明したがこれに限定されず、例えば表示デバイス５０の種類又は表示デバイス５０のディスプレイサイズを取得せずこれらの情報を考慮することなく、人物データ全てを人物Ａに関する情報としてもよいし、人物データのうち予め定められた情報（例えば人物の名前）を表示デバイス５０を示す情報によらずに一律で人物Ａに関する情報としてもよい。
【００６５】
また、表示デバイス５０に人物Ａに関する情報が表示されるとし、表示デバイスの例として腕時計型端末５１及びペン型端末５２を例示したが、これに限定されず、携帯端末に人物Ａに関する情報が表示されるものであってもよい。すなわち、上述した表示デバイス５０及び携帯端末２０，２０Ａ，２０Ｂの機能を有する携帯端末を用いてもよい。携帯端末は、腕時計型端末５１及びペン型端末５２と比較してディスプレイサイズを大きくし易く、人物Ａに関する情報をより多く表示できる。このため、例えば、腕時計型端末５１が、人物の名前、所属部署、及び役職のみを表示するような場合に、携帯端末では、人物の名前、所属部署、役職、電話番号、及びメールアドレスを表示する、といったことが可能になる。
【００６６】
また、サーバ３０，３０Ａに個人情報である人物データを記憶する機能（個人情報データベース機能）と画像を照合する機能（画像認識機能）とを具備しているが、これら機能を、携帯端末（例えばスマートフォン）に具備してもよい。
【００６７】
また、第２実施形態において人物Ａの徽章１０Ａは、撮像部１１及び通知部１２を備えるとして説明したが、これに限定されず、例えば、人物Ａの徽章は撮像部１１を備えなくてもよい。すなわち、人物Ａの徽章は、通知部１２により発光部品１０ｙが明滅することで人物Ｂに提供があった旨を通知する機能を有していればよく、撮像機能を有していなくてもよい。
【００６８】
また、出力部２２，２２ｘは人物Ａに関する情報を表示するための情報を表示デバイス５０に送信するとして説明したが、人物Ａに関する情報を人物Ｂに提供することができれば出力形式は表示に限定されず、例えば音声により、人物Ａに関する情報を人物Ｂに提供するものであってもよい。
【００６９】
また、照合部３１は、人物Ａに関する情報の取得回数に基づいて人物Ａに関する情報を提供するか否かを決定するとして説明したが、例えば、過去の取得回数が０回（今回がはじめての取得）である場合、すなわち人物Ｂと人物Ａとが初めて会ったと思われる場合には、人物Ｂへ人物Ａに関する情報を提供しないと決定してもよい。これにより、会ったことのない人物の情報を取得し、会ったことがないにもかかわらず会ったことがあるかのように対応してしまうことを防止できる。
【００７０】
また、撮像部１１は人物Ａの顔を撮像するとして説明したがこれに限定されず、人物Ａの顔以外の部位を撮像するものであってもよい。この場合には、照合部による照合も、顔以外の部位で行われる。
【符号の説明】
【００７１】
１，１Ａ…人物特定システム、１０，１０Ａ，１０Ｂ…徽章、１０ｘ…カメラ、１０ｙ…発光部品、１１…撮像部、１２…通知部、２０，２０Ａ，２０Ｂ…携帯端末、２１…情報取得部、２２，２２ｘ…出力部、３０，３０Ａ…サーバ、３１…照合部、３２…記憶部、３３，３３ａ…結果送信部、５０…表示デバイス、５１…腕時計型端末、５２…ペン型端末。
【図１】
2015192348.tif 000003
【図２】
2015192348.tif 000004
【図３】
2015192348.tif 000005
【図４】
2015192348.tif 000006
【図５】
2015192348.tif 000007
【図６】
2015192348.tif 000008
【図７】
2015192348.tif 000009
【図８】
2015192348.tif 000010
【図９】
2015192348.tif 000011